(57)【要約】【課題】大型映像表示装置の二次元アドレスを自動で設定することを目的とする。【解決手段】  マトリクス状に配置された複数の制御装置と、複数の制御装置をマルチドロップ接続する映像データ伝送配線と、最終行に配置された制御装置を相互にデイジーチェーン接続するデータ伝送配線と、を備えている自動アドレス機能付き映像表示装置。制御装置（０,ｍ−１）は、自動アドレス処理が開始すると、アドレス（Ｘ,Ｙ）を読み込み、アドレス（Ｘ＋１,Ｙ＋０）を作成してデータ伝送配線を通して送信し、タイムアウトが発生すると、アドレス送信配線で接続された同列に配置された制御装置にアドレス（Ｘ＋０,Ｙ＋０）を送信し、アドレス返送配線を通してアドレス（Ｘ＋０, Ｙ＋１）を受信すると、現状のアドレスをアドレス（Ｘ＋０, Ｙ＋１）に更新し、更新したアドレス（Ｘ＋０,Ｙ＋１）を送信するものである。【選択図】図４
2014219611.tif 000002
【特許請求の範囲】
【請求項１】
高さと幅を有する映像表示素子を制御し、ｍ行ｎ列のマトリクス状に配置された複数の制御装置（ｘ,ｙ；ｘ[変数]＝０〜ｎ−１,ｙ[変数]＝０〜ｍ−１）と、
前記複数の制御装置をマルチドロップ接続する映像データ伝送配線と、
最終行に配置された制御装置を相互にデイジーチェーン接続するデータ伝送配線と、を備え、
同じ列に配置された制御装置は、アドレス送信配線によってマルチドロップ接続されるとともに、アドレス返送配線によってデイジーチェーン接続されていて、
制御装置（０,ｍ−１）は、自動アドレス処理が開始すると、アドレス（Ｘ,Ｙ）を読み込み、この読み込んだアドレス（Ｘ,Ｙ）からアドレス（Ｘ＋１,Ｙ＋０）を作成して前記データ伝送配線を通して隣の制御装置に送信し、
タイムアウトが発生すると、前記アドレス送信配線で接続された同列に配置された制御装置にアドレス（Ｘ＋０,Ｙ＋０）を送信し、
前記アドレス返送配線を通してアドレス（Ｘ＋０, Ｙ＋１）を受信すると、現状のアドレスをアドレス（Ｘ＋０, Ｙ＋１）に更新し、更新したアドレス（Ｘ＋０,Ｙ＋１）を送信することを特徴とする自動アドレス機能付き映像表示装置。
【請求項２】
前記制御装置（０,ｍ−１）に配線で接続されたメンテナンス装置を備え、前記メンテナンス装置は、前記自動アドレス処理が開始すると、アドレス（Ｘ,Ｙ）を前記制御装置（０,ｍ−１）に送信し、前記制御装置（０,ｍ−１）はこの送信されたアドレス（Ｘ,Ｙ）を読み込むことを特徴とする請求項１に記載の自動アドレス機能付き映像表示装置。
【請求項３】
前記複数の制御装置（ｘ,ｙ）はアドレス設定ボタンを備え、前記制御装置（０,ｍ−１）のアドレス設定ボタンが押下されると、前記自動アドレス処理が開始し、前記制御装置（０,ｍ−１）はデフォルトを読み込むことを特徴とする請求項１に記載の自動アドレス機能付き映像表示装置。
【請求項４】
前記制御装置（０,ｍ−１）は、前記データ伝送配線を通して隣の制御装置にアドレス（Ｘ＋１,Ｙ＋０）を送信する際に、前記映像表示素子の幅も送信し、
前記更新したアドレス（Ｘ＋０,Ｙ＋１）を送信するさいに、前記映像表示素子の高さも送信することを特徴とする請求項１ないし３の何れか１項に記載の自動アドレス機能付き映像表示装置。
【請求項５】
前記映像データ伝送配線は筐体の上段側から下段側に向けて配設され、前記メンテナンス装置は、前記筐体の下段側に配置されていることを特徴とする請求項２に記載の自動アドレス機能付き映像表示装置。
【発明の詳細な説明】
【技術分野】
【０００１】
この発明は、映像表示装置に関わり、特に、マトリクス状に配置されている表示ユニットに、自動でアドレスを付与する機能を有する映像表示装置に関するものである。
【背景技術】
【０００２】
大型映像表示装置は、複数の表示ユニットがマトリクス状に配列されている。表示ユニットは少なくとも１つの映像表示素子を含んでいる。この大型映像表示装置に映像を表示させるためには、表示ユニットのそれぞれに予めアドレスを設定しておく必要がある。個々の表示ユニットは当該アドレスが付された映像データを取り込み、表示する。
【０００３】
大型映像表示装置は、通常、個々の表示ユニットにあらかじめアドレスが設定されている。表示ユニットをマトリクス状に配置する際に、この設定したアドレスどおりに表示ユニットを配置する。設置作業の効率低下を防ぐために、個々の表示ユニットは同じ表示ライン数に揃えられている。
【０００４】
表示ユニットのライン数がひとつに固定されていると、表示ユニットの大きさを変えることができない。あるスペースに大型映像表示装置を設置する際、表示ユニットの大きさが変更できないと、大型映像表示装置のレイアウトには制限が課せられる。例えば、表示ユニットの大きさよりも小さい領域には、表示ユニットを設置できず、映像を表示させることができない。
【０００５】
表示ユニットのライン数を可変にできれば、表示ユニットのレイアウトに自由度が増加する。表示ユニットの設置後であっても各表示ユニットにアドレスを自動で設定する手段を備える大型映像表示装置が知られている（例えば、特許文献１）。この大型映像表示装置によれば、行アドレスの設定を中継分配装置のポートから行っている。この発明によれば自動アドレスを実施するに中継分配装置の設置が必要になる。
【先行技術文献】
【特許文献】
【０００６】
【特許文献１】特開2005-321427号公報
【発明の概要】
【発明が解決しようとする課題】
【０００７】
この発明は、上記のような課題を解決するためになされたものであり、中継分配装置を必要とすることなく、大型映像表示装置の二次元アドレスを自動で設定することを目的とする。
【課題を解決するための手段】
【０００８】
この発明に係る自動アドレス機能付き映像表示装置は、高さと幅を有する映像表示素子を制御し、ｍ行ｎ列のマトリクス状に配置された複数の制御装置（ｘ,ｙ；ｘ[変数]＝０〜ｎ−１,ｙ[変数]＝０〜ｍ−１）と、複数の制御装置をマルチドロップ接続する映像データ伝送配線と、最終行に配置された制御装置を相互にデイジーチェーン接続するデータ伝送配線と、を備えている。同じ列に配置された制御装置は、アドレス送信配線によってマルチドロップ接続されるとともに、アドレス返送配線によってデイジーチェーン接続されていて、制御装置（０,ｍ−１）は、自動アドレス処理が開始すると、アドレス（Ｘ,Ｙ）を読み込み、この読み込んだアドレス（Ｘ,Ｙ）からアドレス（Ｘ＋１,Ｙ＋０）を作成してデータ伝送配線を通して隣の制御装置に送信し、タイムアウトが発生すると、アドレ
ス送信配線で接続された同列に配置された制御装置にアドレス（Ｘ＋０,Ｙ＋０）を送信し、アドレス返送配線を通してアドレス（Ｘ＋０, Ｙ＋１）を受信すると、現状のアドレスをアドレス（Ｘ＋０, Ｙ＋１）に更新し、更新したアドレス（Ｘ＋０,Ｙ＋１）を送信するものである。
【発明の効果】
【０００９】
この発明に係る自動アドレス機能付き映像表示装置は、制御装置間でアドレスデータを送受信することにより表示ユニットのアドレスを設定するので、映像表示装置を設置後に中継分配装置を必要とせずに自動でＸＹアドレスを設定することができ、設置効率等を大幅に改善することができる。
【図面の簡単な説明】
【００１０】
【図１】この発明の実施の形態１に係る大型映像表示装置を示すブロック図である。
【図２】この発明の実施の形態１に係る起点の制御装置におけるフローチャートである。
【図３】この発明の実施の形態１を示すフローチャートの前半部分である。
【図４】この発明の実施の形態１を示すフローチャートの後半部分である。
【図５】この発明の実施の形態２に係わる大型映像表示装置を示すブロック図である。
【図６】この発明の実施の形態３に係わる大型映像表示装置を示すブロック図である。
【図７】この発明の実施の形態３に係る起点の制御装置におけるフローチャートである。
【図８】この発明の実施の形態３を示すフローチャートの前半部分である。
【図９】この発明の実施の形態３を示すフローチャートの後半部分である。
【発明を実施するための形態】
【００１１】
実施の形態１．
図１は、この発明の実施の形態１に係る２次元自動アドレス機能付きの大型映像表示装置を示す全体構成図である。大型映像表示装置１００は、メンテナンス装置１、表示ユニット４、データ伝送配線５、映像データ伝送配線６、データ伝送配線７、アドレス送信配線８、アドレス返送配線９、筐体２０などから構成されている。マトリクス状に配置されている表示ユニット４は、映像表示素子２と制御装置３を備えている。ここでは、４行３列の表示ユニットが図示されているが、一般的には大型映像表示装置１００はｍ行ｎ列のマトリクス状に配置された表示ユニットを備えている。それぞれの表示ユニット４を区別する場合、行方向のＸアドレス（ｘ：変数）と列方向のＹアドレス（ｙ：変数）を使って、表示ユニット（ｘ,ｙ：ｘ＝０〜ｎ−１,ｙ＝０〜ｍ−１））と表記する。
【００１２】
制御装置３は、表示ユニット４に含まれる少なくとも１台の映像表示素子２を制御する。ここでは、おのおのの表示ユニット４は、４個の映像表示素子２を備えている。それぞれの制御装置３を区別する場合、表示ユニットのＸアドレス（ｘ：変数）とＹアドレス（ｙ：変数）を使って、制御装置（ｘ,ｙ）と表記する。映像表示素子２は、ここでは６４×６４の画素を有している。映像表示素子２の高さ（ｈ）は、表示ユニット内の行方向の画素の和として定義されている。同じく映像表示素子２の幅（ｗ）は、表示ユニット内の列方向の画素の和として定義されている。実施の形態１においては、映像表示素子２の高さ（ｈ）と幅（ｗ）は、ともに１２８である。映像表示素子２には、映像取込開始位置が設定される。大型映像表示装置１００には、左上から映像データ伝送配線６を使って映像データが送られてくる。表示ユニット４は、映像データから映像取込開始位置に従って自分が担当する領域の映像データを取り込み、映像表示素子２に伝送する。
【００１３】
表示ユニット４は映像データ伝送配線６によってマルチドロップ接続されている。最下段に横方向に並んでいる表示ユニット（ｘ,３；ｘ＝０〜２）は、データ伝送配線７によってデイジーチェーン接続されている。縦方向に並んでいる表示ユニット（０,ｙ；ｙ＝０〜３）は、アドレス返送配線９によってデイジーチェーン接続されている。また、縦方向に並んでいる表示ユニット（０,ｙ；ｙ＝０〜３）は、アドレス送信配線８によってマルチドロップ接続されている。同様に、表示ユニット（１,ｙ；ｙ＝０〜３）は、アドレス返送配線９とアドレス送信配線８によって、デイジーチェーン接続およびマルチドロップ接続されている。同様に、表示ユニット（２,ｙ；ｙ＝０〜３）は、アドレス返送配線９とアドレス送信配線８によって、デイジーチェーン接続およびマルチドロップ接続されている。
【００１４】
図２は、この発明の実施の形態１に係る起点の制御装置におけるフローチャートである。図３は、この発明の実施の形態１に係る大型映像表示装置におけるフローチャートの前半部分である。図４は、この発明の実施の形態１に係る大型映像表示装置におけるフローチャートの後半部分である。このように構成された大型映像装置において、メンテナンス装置１に自動アドレス処理を要求すると、メンテナンス装置１は先頭の表示ユニット（０,３）にデータ伝送配線５を通じてアドレス（Ｘ,Ｙ）を送信する。アドレスを最初に受信する表示ユニット４の制御装置（０,３）は、自分のアドレス（Ｘ,Ｙ）をメンテナンス装置１から指示されたＸアドレス、Ｙアドレスとする。通常はＸアドレス＝０，Ｙアドレス＝０に設定する。表示ユニット（０,３）の制御装置３は、右に隣接する表示ユニット（
１,３）の制御装置（１,３）に対してＸアドレスを（現状のＸアドレス＋１）として、アドレス（Ｘ＋１,Ｙ＋０）を送信する。アドレスを受信した表示ユニット（１,３）の制御装置（１,３）は、さらに右の表示ユニット（２,３）の制御装置（２,３）に対してＸアドレスを（現状のＸアドレス＋１）として、アドレス（Ｘ＋１,Ｙ＋０）を送信する。この処理を横方向の接続枚数分繰り返す。
【００１５】
アドレスを受信した最下段の表示ユニット４の制御装置３は、同じ縦列の制御装置３に対してアドレスを送信する。例えば、制御装置（０,３）は、アドレス送信配線８を通じて、制御装置（０,０）、制御装置（０,１）、制御装置（０,２）にアドレス（Ｘ＋０,Ｙ＋０）を送信する。制御装置（０,３）からアドレスを受信した制御装置（０,０）、制御装置（０,１）および制御装置（０,２）は、Ｙアドレスを（Ｙ＋１）とし、下の制御装置に対してアドレス返送配線９を通じてアドレス（Ｘ＋０,Ｙ＋１）を送信する。この下に隣接する制御装置に対する処理を縦方向の制御装置の数分繰り返す。一定時間経過してもアドレスを受信しなかった制御装置は、現時点での自動アドレスを自分のアドレスとする。縦列に接続されている制御装置には最後にタイムアウトが発生し、アドレスの設定が完了する。
【００１６】
ここで、基本的にアドレスの初期状態はすべてＹアドレス＝０からスタートする。つまり自動設定の段階では、アドレス送信配線８を通じてすべての縦列の制御装置がアドレスを受信するので、縦列の各制御装置のアドレスは上から順に以下のようになる。
アドレス（０,０）→ アドレス（０,０）→ アドレス（０,０）→ アドレス（０,０）縦列の制御装置は、アドレス返送配線９を通じて下に接続されている制御装置に対しＹアドレス＋１を送信し、このアドレスを受信した制御装置はアドレスがＹ＝１となる。
アドレス（０,０）→ アドレス（０,１）→ アドレス（０,１）→ アドレス（０,１）アドレスを受信した制御装置は、再び下に接続されている制御装置に対しＹアドレス＋１を送信し、このアドレスを受信した制御装置はアドレスがＹ＝２となる。
アドレス（０,０）→ アドレス（０,１）→ アドレス（０,２）→ アドレス（０,２）再びこの処理を繰り返し、以下のようにアドレスが変化する。
アドレス（０,０）→ アドレス（０,１）→ アドレス（０,２）→ アドレス（０,３）
【００１７】
第１行目の制御装置（ｘ,０）は、アドレス返送配線９で下の制御装置３とは繋がれているが、上にはアドレス返送配線９で繋がれている制御装置３が存在しない。制御装置（ｘ,０）は、一定時間経過（タイムアウト）しても上の制御装置からアドレスを受信することがないから、自分が最上段であることを認識して、アドレス設定が完了する。第ｍ行（最終行）目の制御装置（ｘ,ｍ−１）は、下の制御装置３が存在しないが、上にはアドレス返送配線９で繋がれている制御装置３が存在する。制御装置（ｘ,ｍ−１）は、上に存在する制御装置３の数だけアドレス（Ｘ＋０,Ｙ＋１）を受信する。受信するたびに、アドレスを更新するので最終的に正しいアドレスを取得することができる。下に隣接していると思われる制御装置に対しはアドレス（Ｘ＋０,Ｙ＋１）を受信するたびにアドレス（Ｘ＋０,Ｙ＋１）を送信する。
【００１８】
実施の形態２．
図５は、この発明の実施の形態２による大型映像表示装置を示すブロック図である。上記実施の形態１では、メンテナンス装置１を使用して自動アドレスを実施する場合について述べたが、実施の形態２では、制御装置３にアドレス設定ボタン１０を設けている。図には、全ての制御装置３にアドレス設定ボタンを設けているが、実際に使用するのは、左下に設置した表示ユニット（０,３）に設けた制御装置３のアドレス設定ボタンである。
制御装置（０,３）のアドレス設定ボタン１０を押すことで自動アドレス処理が開始する。実施の形態２による制御装置（０,３）は、メンテナンス装置からの自動アドレス入力値をリードすることができないので、デフォルトを自分のアドレスに設定し、自動アドレス入力値を読み込んだ（リードした）とみなす。通常、アドレスのデフォルトはアドレス（０,０）であるので、制御装置（０,３）は、自動アドレス処理が開始するとアドレス（１,０）を隣の制御装置に送信する。実施の形態２による大型映像表示装置はメンテナンス装置を使用することなく２次元自動アドレスが実施できる。
【００１９】
実施の形態３．
図６は、この発明の実施の形態３によるブロック図である。実施の形態３では、メンテナンス装置１はアドレス（Ｘ,Ｙ）に加えて、映像取込開始位置（Ａ,Ｂ）を送信する。上記実施の形態１、２では、制御装置３に接続されている映像表示素子２のライン数（高さおよび幅）や大きさが固定であったが、実施の形態３によれば、制御装置３に接続されている映像表示素子２のライン数や大きさに関らず自動アドレスが可能となる。
【００２０】
実施の形態３に係る大型映像表示装置１００は、１行目の表示ユニットが３段の映像表示素子を、２行目の表示ユニットが２段の映像表示素子を、３行目の表示ユニットが３段の映像表示素子を、４行目の表示ユニットが２段の映像表示素子を、備えている。また、大型映像表示装置１００は、１列目の表示ユニットが２列の映像表示素子を、２列目の表示ユニットが１列の映像表示素子を、３列目の表示ユニットが２列の映像表示素子を、備えている。
【００２１】
図７は、この発明の実施の形態３に係る起点の制御装置におけるフローチャートである。図８は、この発明の実施の形態３に係る大型映像表示装置におけるフローチャートの前半部分である。図９は、この発明の実施の形態３に係る大型映像表示装置におけるフローチャートの後半部分である。このように構成された大型映像装置において、自動アドレス処理が開始すると、メンテナンス装置１からアドレス（Ｘ,Ｙ）と映像取込開始位置（Ａ,Ｂ）を送信する。アドレス（Ｘ,Ｙ）を受信した制御装置３は、メンテナンス装置から設定されたアドレス（Ｘ,Ｙ）と映像取込開始位置（Ａ,Ｂ）とする。通常はアドレス（０,０）、映像取込開始位置（０,０）とする。もしくは実施の形態２と同様に、制御装置（０,３）のアドレス設定ボタン１０の押下により自動アドレス処理が開始する。
【００２２】
次いで、右に隣接する制御装置に対してアドレスと映像取込開始位置を送信する。このときＸアドレスを（現状のＸアドレス＋１）、映像取込開始位置を（現状の映像取込開始位置Ａ＋制御装置に接続されている表示ユニットの幅ｗ）にして送信する。例えば、表示ユニット（０,３）と表示ユニット（２,３）は、２列の映像表示素子が接続されているため、１列目と３列目の表示ユニットの幅は（１２８）となる。表示ユニット（１,３）には、１列の映像表示素子が接続されているため、２列目の表示ユニットの幅は（６４）となる。アドレスを受信した制御装置は、右の制御装置に対してＸアドレスを（Ｘ＋１）として、自動アドレス開始コマンドを送信する。この処理を横方向の接続枚数分繰り返す。
【００２３】
一定時間経過してもアドレスを受信しなかった制御装置は、同じ縦列の制御装置に対してアドレスを送信する。アドレスを受信した制御装置は、制御装置のＹアドレスを（Ｙ＋１）とし、下の制御装置に対してＹアドレスを（Ｙ＋１）として、映像取込開始位置Ｂを（現状の映像取込開始位置Ｂ＋制御装置に接続されている表示ユニットの高さｈ）として送信する。例えば、表示ユニット（０,０）と表示ユニット（０,２）は、３段の映像表示素子が接続されているため、１行目と３行目の表示ユニットの高さは（１９２）となる。表示ユニット（０,１）と表示ユニット（０,３）には、２列の映像表示素子が接続されているため、２行目と４行目の表示ユニットの高さは（１２８）となる。この下に隣接する制御装置に対する処理を縦方向の制御装置の数分繰り返すことになる。一定時間経過してもアドレスを受信しなかった制御装置は、現時点での自動アドレスを制御装置のアドレスとする。
【００２４】
なお、本発明は、その発明の範囲内において、実施の形態を自由に組み合わせたり、各実施の形態を適宜、変形、省略することが可能である。
【符号の説明】
【００２５】
１  メンテナンス装置、２  映像表示素子、３  制御装置、４  表示ユニット、５  データ伝送配線、６  映像データ伝送配線、７  データ伝送配線、８  アドレス送信配線、９  アドレス返送配線、１０  アドレス設定ボタン、２０  筐体、１００  大型映像表示装置
【図１】
2014219611.tif 000003
【図２】
2014219611.tif 000004
【図３】
2014219611.tif 000005
【図４】
2014219611.tif 000006
【図５】
2014219611.tif 000007
【図６】
2014219611.tif 000008
【図７】
2014219611.tif 000009
【図８】
2014219611.tif 000010
【図９】
2014219611.tif 000011